(57)【要約】      （修正有）【課題】サーフィン中のパドリングを行い易くすることで、より多くの波に乗ることができるようになると共に、海水温が低くても肩を冷やさず快適に波乗りを楽しむことができるウェットスーツを提供する。【解決手段】サーフィンを行う際に着用するウェットスーツ１であって、ウェットスーツ１の腕部の先端がサーファーの手首付近に達するようになっており、かつウェットスーツ着用中にサーファーの両肩１１０に対応する位置に形成される膨出部２０を有しており、膨出部２０は、サーファーがサーフィン中にパドリングを行う際にサーファーのそれぞれの肩と前記各膨出部の内側との間に隙間を作ることで、パドリング動作を行い易くすると共に、海水温が低い場合のパドリング中にサーファーの肩を保温する空気溜まり領域が形成される形状を有している。【選択図】図１
0003190569.tif 000002
【実用新案登録請求の範囲】
【請求項１】
サーフィンを行う際に着用するウェットスーツであって、
前記ウェットスーツの腕部の先端がサーファーの手首付近に達するようになっており、かつ当該ウェットスーツ着用中に前記サーファーの両肩に対応する位置に形成される膨出部を有しており、
前記膨出部は、前記サーファーが前記ウェットスーツを着用しながらパドリングを行う際に前記サーファーのそれぞれの肩と前記各膨出部の内側との間に隙間を作ることで、パドリング動作を行い易くすると共に、海水温が低い場合のパドリング中にサーファーの肩を保温する空気溜まり領域が形成される形状を有していることを特徴とするウェットスーツ。
【考案の詳細な説明】
【技術分野】
【０００１】
本考案は、波乗りを快適に楽しむためのサーフィン用のウェットスーツに関する。
【背景技術】
【０００２】
波乗り（以下、「サーフィン」とする）を行う際、サーフボードから体を守るためや海水温が低い場合にサーファーの体温を保ったり、上半身に過度の紫外線が当たるのを防止したりするために腕部の先端が手首部まである、いわゆるフルスーツと呼ばれるウェットスーツやロングスリーブスプリングと呼ばれるウェットスーツが広く用いられている。そして、このようなウェットスーツの一部に加工を施して波乗りがし易くなるようなものが知られている（例えば特許文献１及び特許文献２参照）。
【先行技術文献】
【特許文献】
【０００３】
【特許文献１】特開２０１１−０３２５９９号公報
【特許文献２】特開２０１１−２３６５４９号公報
【考案の概要】
【考案が解決しようとする課題】
【０００４】
特許文献１に記載のウェットスーツは、その一部にテーピング代わりになるようなサポート部を備えている。しかしながら、ウェットスーツを着用してサーフィンを行う場合、岸からサーフィンに適した場所まで移動するためにサーフボード横の海水面を両手で交互にかくいわゆるパドリング動作（以下、単に「パドリング」とする）を行う。そして、適当な場所で波待ちし、ライディングに適した波が海側から近づいて来た場合に、波の崩れるポイントめがけて再びパドリングしてサーフボードを波の進行方向に合わせて加速させ、波の面が盛り上がってきた瞬間にパドリング力をタイミング良く高めて波のトップ（いわゆるリップと呼ばれる波の頂点）からサーフボードを波の傾斜面に滑り出させ、波面を自在に滑り降りたり上がったりする。
【０００５】
少しでも早くテイクオフして波の傾面を滑り降りることで、その後のボトムターンやアップアンドダウン、カットバック等の技を上手く行うことができる。そして、１つの波に乗った後に再びパドリングして元の位置まで戻る。このようにサーフィン中には波のウェイティングポイントで波待ちしている間や波に乗っている間以外、常に両肩を思い切り動かしてパドリングする必要がある。
【０００６】
特許文献１に記載のウェットスーツではこの両肩が着用者（以下、適宜「サーファー」とする）の肩に密着しているため、パドリングの最中にサーファーの肩に密着したウェットスーツの部分もこの肩の動きに合わせて一緒に伸縮させなければならない。そのため、ウェットスーツの肩の部分が伸縮性を有するネオプレン（登録商標）ゴムやジャージの生地で形成されていても、それが伸縮時に抵抗となってパドリング力が低下してしまう。その結果、ライディングに適した波に対してサーフボードの進み具合をうまく合わせることができずテイクオフに失敗して波に取り残されてしまう。
【０００７】
一方、サーフィンには母なる海である自然を相手にする、他のスポーツや遊びにない特別な楽しみがあり、かつロングボードの普及により体力維持やストレス解消のために近年では若い男性だけではなく中高年や女性の間にも愛好家が急増している。このようなサーファーにとって冬場のサーフィンを行う場合、保温性の高いウェットスーツを着用することは大切なことである。
【０００８】
しかしながら、上述した特許文献１に記載のようなウェットスーツでは、サーファーがパドリングする際、ウェットスーツがサーファーの肩に密着しているため、低い海水温がそのままサーファーの肩に伝わって肩の関節や筋肉を冷やして好ましくない。これは中高年や女性に限らず若い男性のサーファーにとっても同様である。
【０００９】
また、特許文献２のウェットスーツは、その生地自体に複数のクラスター（空気の詰まった微小空間）をウェットスーツの生地に内含させて保温性を確保するようになっている。このようなクラスター付きの生地を作ること自体コストがかかるだけではなく、パドリング時においてもウェットスーツ自体が依然としてサーファーの肩に密着しているので、パドリングが特別行い易くなるものではない。また、多数のクラスターがウェットスーツの生地内に存在しているだけでは、低い海水温からサーファーの肩を効果的に保温することは不十分である。
【００１０】
本考案の目的は、サーフィン中のパドリングを行い易くすることで、より多くの波に乗ることができるようになると共に、海水温が低くても肩を冷やさず快適にサーフィンを楽しむことができるウェットスーツを提供することにある。
【課題を解決するための手段】
【００１１】
上記目的を達成するために本考案の請求項１に係るウェットスーツは、
サーフィンを行う際に着用するウェットスーツであって、
前記ウェットスーツの腕部の先端がサーファーの手首付近に達するようになっており、かつ当該ウェットスーツの着用中に前記サーファーの両肩に対応する位置に形成される膨出部を有しており、
前記膨出部は、前記サーファーが前記ウェットスーツを着用しながらパドリングを行う際に前記サーファーのそれぞれの肩と前記各膨出部の内側との間に隙間を作ることで、パドリング動作を行い易くすると共に、海水温が低い場合のパドリング中にサーファーの肩を保温する空気溜まり領域が形成される形状を有していることを特徴としている。
【考案の効果】
【００１２】
本考案によると、サーフィン中のパドリングを行い易くすることで、より多くの波に乗ることができるようになると共に、海水温が低くても肩を冷やさずサーフィンを快適に楽しむことができるウェットスーツを提供することができる。
【図面の簡単な説明】
【００１３】
【図１】本考案の一実施形態に係るウェットスーツを正面から見た全体図である。
【図２】図１に示したウェットスーツの着用者の肩の部分に相当する部位を拡大した斜視図である。
【図３】図１に示したウェットスーツを着た状態でサーフボードに腹ばいに乗ってパドリングをしている状態をサーファーの上面から示す説明図である。
【考案を実施するための形態】
【００１４】
以下、本考案の一実形態に係るウェットスーツの詳細な構成について図面に基づいて説明する。図１は、本考案の一実施形態に係るウェットスーツ１を正面から見た全体図である。また、図２は、図１に示したウェットスーツ１の着用者の肩の部分に相当する部位を拡大した斜視図である。
【００１５】
本考案の一実施形態に係るウェットスーツ１は、サーフィンを行う際に着用するウェットスーツであって、ウェットスーツ１の腕部１０の先端１１（図３参照）がサーファー１００（図３参照）の手首付近に達するようになっており、かつサーファーがこのウェットスーツ１の着用中にサーファーの両肩に対応する位置に膨出部２０を有している。
【００１６】
そして、膨出部２０は、サーファーがウェットスーツ１を着用しながらパドリングを行う際にサーファーのそれぞれの肩１１０（図１中の二点鎖線参照）と各膨出部の内側との間に、サーファーのパドリング動作に伴う負担軽減を図る空気溜まり領域２１が形成されている。また、この膨出部２０の空気溜まり領域２１は、冬の間や初春など海水温が低い季節においてサーフィン行う際、パドリング中にサーファーの肩１１０を保温する役目も果たしている。
【００１７】
膨出部２０は、ネオプレン（登録商標）ゴムやジャージの生地でできており、女性の衣服の肩パットに似た形状を有し、ウェットスーツ１の他の部分に連続して形成されている。なお、膨出部２０は、本実施形態の場合、その周囲をウェットスーツ１の他の部分と縫い合わせることで形成されているが、ウェットスーツ１の他の部分と一体化してこの他の部分から連続形成されていても良い。
【００１８】
膨出部２０の首から腕方向の長さは本実施形態の場合、例えば１０〜１５ｃｍ、これと直交する幅は例えば５〜１０ｃｍである。また、サーファーがウェットスーツを着たときにこの膨出部の内側とサーファーの肩の部分との間にできる隙間の間隔が最も大きいところで２ｃｍ〜５ｃｍ程度である。しかしながら、本発明の作用が発揮できれば、このような寸法に限定されるものではないということは言うまでもない。
【００１９】
本考案に係るウェットスーツによると、上述の膨出部を有することでサーファーの肩に備わる筋肉（三角筋）の動きを阻害することなく、かつこの筋肉の冷えを防止することができる。したがって、この部分の血行が良くなり、パドリング時に最も重要とされる肩から腰の間に広背筋や大円筋、その他テイクオフ時に頭部を持ち上げる僧帽筋や腰の近くの外腹斜筋等への血行の促進も向上させ、サーファーのパドリング能力を高めることができる。
【００２０】
その結果、以下のような作用を発揮する。図３は、図１に示したウェットスーツ１を着た状態でサーフボード２００に腹ばいに乗ってパドリングをしている状態をサーファーの上面から示す説明図である。
【００２１】
特許文献１や特許文献２に記載のウェットスーツでは、その肩部がサーファーの肩に常に密着しているため、パドリングの最中にサーファーの肩に密着したウェットスーツの部分もこの肩の動きに合わせて一緒に伸縮させなければならない、そのため、ウェットスーツの肩の部分が伸縮性に富むネオプレン（登録商標）ゴムやジャージの生地で形成されていても、それが伸縮時に抵抗となってパドリング力が低下してしまう。その結果、サーファーが乗りたい波に対してサーフボードを十分に上手く前進させることができずテイクオフに失敗して波に取り残されてしまう。
【００２２】
しかしながら、本考案に係るウェットスーツ１によると、上述したようにパドリング中にサーファーの肩を保温する膨出部２０を有することで、このような問題を解決できる。これは、パドリングを行う間だけでなく、ブレークする波の下をくぐりぬけて波のアウトサイドに向かういわゆるドルフィンスルーを行う場合にも効果的である。
【００２３】
同じく、上述した特許文献１や特許文献２に記載のようなウェットスーツでは、ウェットスーツがサーファーの肩に密着しているため、サーファーがパドリングする際、特に冬季や初春などにサーフィンする場合、低い海水温がそのままサーファーの肩に伝わって肩の関節や筋肉を冷やして好ましくない。これは中高年や女性に限らず若い男性のサーファーにとっても同様である。
【００２４】
しかしながら、本考案に係るウェットスーツによると、上述したようにパドリング中にサーファーの肩１１０を保温する膨出部２０を有することで、このような問題を解決できる。この場合においても、パドリングを行う間だけでなく、ブレークする波の下をくぐりぬけて波のアウトサイドに向かういわゆるドルフィンスルーを行う場合にも効果的である。
【００２５】
以上のような利点に加えて、本考案に係るウェットスーツによると、サーフィン中にプルアウトしてサーフボードがサーファーの肩に当たることがあっても、この膨出部２０によりサーファーの肩にサーフボードからの衝撃が直接加わるのを防止し、サーファーの肩関節やこの周辺の筋肉を保護することができる。
【符号の説明】
【００２６】
１    ウェットスーツ
１０    腕部
１１    先端
２０    膨出部
２１    領域
１００    サーファー
１１０    肩
２００    サーフボード
【図１】
0003190569.tif 000003
【図２】
0003190569.tif 000004
【図３】
0003190569.tif 000005